【手続補正書】
【提出日】平成18年12月4日(2006.12.4)
【手続補正１】
【補正対象書類名】明細書
【補正対象項目名】請求項１８
【補正方法】変更
【補正の内容】
【請求項１８】  前記表示制御手段は、所定の時間になったことに応じて、前記所定の時間が含まれる前記所定の時間帯における視聴パターンに従って画像の表示又は音声の出力を行うように制御することを特徴とする請求項１７に記載の情報処理装置。
【手続補正２】
【補正対象書類名】明細書
【補正対象項目名】請求項３７
【補正方法】変更
【補正の内容】
【請求項３７】  所定の時間になったことに応じて、前記所定の時間が含まれる前記所定の時間帯における視聴パターンに従って画像の表示又は音声の出力を行うように制御することを特徴とする請求項３６に記載の情報処理方法。
【手続補正３】
【補正対象書類名】明細書
【補正対象項目名】００２２
【補正方法】変更
【補正の内容】
【００２２】
ＩＥＥＥ１３９４インタフェース１１７ａ，１１７ｂは、本情報処理装置と外部ＡＶ機器やコンピュータ周辺機器などをデジタル接続するためのインタフェースであり、録画などのためのＤ−ＶＨＳや、ＤＶＤプレイヤなどが接続されている。モデム１１８は、有料放送の利用などユーザの視聴記録に関する情報を放送事業者側の管理センタに電話回線を通じて送るほか、インターネットに接続し、様々なホームページの閲覧や電子メールのやりとりする際のインタフェースとして機能する。ＰＣＭＣＩＡインタフェース１１９は、デジタルカメラなどで撮影した各種画像を取り込むためのインタフェースであり、デジタルカメラなどの記録メディアとして用いられているＣＦ（Compact Flash）カードや、スマートメディアなどをアダプタを介して接続する。なお、音声制御部１０８及びＶｉｄｅｏインタフェース１１０ａ〜ｃは、入力手段の一適用例となる構成である。また、音声制御部１０８は、音声出力制御手段の一適用例となる構成である。
【手続補正４】
【補正対象書類名】明細書
【補正対象項目名】００２６
【補正方法】変更
【補正の内容】
【００２６】
グラフィックスアクセラレータ１１５は、マルチウインドウ画面における各ウインドウの枠レイアウトや背景画、ホームページブラウザやメールのアプリケーション画面、操作メニューやアイコン、ボタンなどのグラフィカルなユーザインタフェース画面などを生成する。このユーザインタフェース画面は、指示手段の一適用例となる構成である。
【手続補正５】
【補正対象書類名】明細書
【補正対象項目名】００２９
【補正方法】変更
【補正の内容】
【００２９】
出力制御部１１３は、最終的なマルチ画面をディスプレイ１１４に出力するために、ディスプレイ１１４の特性に応じた駆動タイミングの制御や表示フォーマットの変換等を行う。ディスプレイ１１４としては、マルチウインドウの効果を活かす目的から、大画面で高精細なハイビジョン対応のプラズマディスプレイやプロジェクション型モニタを選択することが好ましい。出力制御部１１３からは、これらのディスプレイに対応したタイミングならびに表示フォーマットで表示用データが出力される。なお、出力制御部１１３は、表示制御手段の一適用例となる構成である。
【手続補正６】
【補正対象書類名】明細書
【補正対象項目名】００４０
【補正方法】変更
【補正の内容】
【００４０】
図６に、属性データの中のメディアの種別の分類例を示した。メディアの種別としては、放送系からの入力４種類（デジタルＴＶ放送、アナログＴＶ放送、デジタルデータ放送、アナログデータ放送）、インターネット（モデム入力）、外部ＡＶ入力、ＩＥＥＥ１３９４やＰＣＭＣＩＡインタフェースからの入力などのほかに、内部機能として搭載されている時計（タイマ）や、スケジューラからの入力も１つのメディアとして分類した。
【手続補正７】
【補正対象書類名】明細書
【補正対象項目名】００４５
【補正方法】変更
【補正の内容】
【００４５】
また、図９に示す表示パラメータのうち、ウインドウ開始アドレス〜レイヤまでの各データは、各ウインドウの表示に関するパラメータである。これらのパラメータは、ＣＰＵ１２３がグラフィックスアクセラレータ１１５内の表示制御に関係するレジスタの値を参照することにより抽出する。各ウインドウの位置及びサイズに関するパラメータとして、画面の表示位置を示す開始アドレス（通常は左上のアドレスを示す）、画面サイズの一例を示すＸ（横）方向サイズ（ドット数）、Ｙ（縦）方向サイズ（ドット数）を、さらに、各ウインドウ間、背景画面との関係を示すパラメータとして、階層表示情報であるウインドウのレイヤ位置、表示効果情報（透過度）などを抽出する。そのほか、必要に応じて各ウインドウの色数情報である表示色数なども表示パラメータデータとして管理する。
【手続補正８】
【補正対象書類名】明細書
【補正対象項目名】００４７
【補正方法】変更
【補正の内容】
【００４７】
また、図１２は、音声モードの分類例である。マルチチャンネルステレオは、たとえば、ＤＶＤなどで採用されているドルビー５．１ｃｈやＤＴＳ（Dolby Theater Surround）などのモードを指す。その他に、図１２に示すように、音声モードの分類例として、モノラル、ステレオ、２ヶ国語を含む。これらの音声関係のパラメータは、ＣＰＵ１２３が、Ａｕｄｉｏデコーダ１０５や音声制御部１０８内と連携（レジスタ設定、モード識別）することにより、データの抽出を行う。
【手続補正９】
【補正対象書類名】明細書
【補正対象項目名】００４８
【補正方法】変更
【補正の内容】
【００４８】
次のステップＳ３０５において、ステップＳ３０２で検出した入力ソースの属性データ（属性情報）と、ステップＳ３０３及びＳ３０４で検出した表示及び音声のパラメータデータとの関係を整理し、さまざまな入力ソースを、どのような画面レイアウト（表示パラメータ）、及び音声モードで、視聴していたかのデータベースを作成する。すなわち、ステップＳ３０５では、入力ソースＩＤごとに、どのような表示及び音声パラメータで視聴していたかを視聴パターンとして記憶すると共に、その頻度を記憶する。さらに、複数の入力ソースを同時視聴していた場合においても、入力ソースＩＤの組合せパターンごとの表示及び音声パラメータ（表示形態情報、音声出力形態情報）を記憶すると共に、その頻度を記憶する。
【手続補正１０】
【補正対象書類名】明細書
【補正対象項目名】００４９
【補正方法】変更
【補正の内容】
【００４９】
履歴データベースとしては、同じ入力ソースＩＤを視聴した場合であっても、いくつかの視聴パターンデータが履歴として残るが、それぞれの場合の表示、音声パラメータを記憶し、頻度の高い順にソートし、記憶する。また、表示パラメータのうち、ウインドウ開始アドレス、Ｘ方向サイズ、Ｙ方向サイズに関しては、画面上の任意の値を採り得るため、特に図示していないが、近いアドレス並びにサイズの場合は、データの丸め込みを行い、ある範囲のものは同じデータ（値）として記憶するような仕様としている。このようにして、さまざまな入力ソースをどのような画面、音声で視聴していたかという視聴パターンとその頻度（試聴頻度）が履歴データベースとして蓄積される。履歴データベースは、記憶手段の一適用例となる構成である。
【手続補正１１】
【補正対象書類名】明細書
【補正対象項目名】００７０
【補正方法】変更
【補正の内容】
【００７０】
図２２は、図２１と同様、ある入力ソースを視聴中における電子メール着信のケースである。ここでは、イベント発生前に視聴していた入力ソースの属性が異なる場合を示しており、図２２では、フル画面でドラマを視聴中のメール着信となっている。この場合は、映画視聴中の様なアイコン表示ではなく、図２２（ｂ）に示すように画面中央部の最上位レイヤに電子メールの着信を示す通知ウインドウが表示され、例えば、その３秒後に、図２２（ｃ）に示すように、自動的にメールアプリケーションを起動、画面の右側に１／３のサイズでウインドウ（表示用データ）を開くように制御している。自動的にメールアプリケーションを起動する構成は、アプリケーション実行手段の一適用例となる構成である。